【事件の表示】
　特許第３２４４２７８号「セキュリティ素子を有するデータ担体」の請求項１ないし１８に係る特許に対する特許異議の申立てについて、次のとおり決定する。
【結　論】
　訂正を認める。
　特許第３２４４２７８号の請求項１に係る特許を維持する。
【理　由】
１．手続の経緯
　特許第３２４４２７８号の請求項１ないし１９に係る発明は、平成２年１２月２１日（パリ条約による優先権主張１９８９年１２月２２日、ドイツ）に特許出願され、平成１３年１０月２６日にその特許権の設定登録がなされ、その後、請求項１ないし１８に係る発明に対して、新日本石油株式会社より特許異議の申立てがなされ、取消しの理由が通知され、その指定期間内である平成１５年１１月１０日に訂正請求がなされたものである。
　
２．訂正の適否についての判断
2-1．訂正の内容
　特許権設定登録時の明細書（以下、「特許明細書」という。）の特許請求の範囲を、
「【請求項１】液晶材料を含み光学的に変化するセキュリティ素子を有するデータ担体であって、前記材料が、配向した形で、室温において固体として存在する液晶重合体であり、赤外領域で読み取れる特徴が前記液晶材料の下に配されているデータ担体において、前記液晶重合体がＩＲ透過性を有し、前記セキュリティ素子の下に可視スペクトル領域では不透明なＩＲ−透明インクの層を有し、さらにその下にＩＲ−吸収インクによる記号を有することを特徴とするデータ担体。
　【請求項２】液晶重合体を含んだデータ担体の試験装置であって、
　少なくとも一つの予め決めた角度からセキュリティ素子を照明する光源と、
　前記光源の光路上に配された、少なくとも一つの色フィルターと、
　前記光路上に配された偏光−光学構成要素と、
　前記光路上に配された、反射光を異なる偏光の部分光線に分割するように構成された光線分割器と、
　前記光線分割器から出力される光の光路上に配された、前記部分光線の強度を測定するように構成された偏光光学構成要素および検出器とを備えていることを特徴とする装置。」と訂正する。
　
2-2．訂正の目的の適否、新規事項の有無及び特許請求の範囲の拡張・変更の存否
　上記特許請求の範囲の訂正は、
　請求項１ないし７及び請求項９ないし１８を削除し、それに伴い、請求項８及び請求項１９を、それぞれ請求項１及び請求項２と訂正し、
　訂正後の請求項１において、「液晶重合体がＩＲ透過性を有」することを特定すると共に、「セキュリティ素子の下に可視スペクトル領域では不透明なＩＲ−透明インクの層を有し、さらにその下にＩＲ−吸収インクによる記号を有する」構成を付加するものであるから、
　特許請求の範囲の減縮を目的とするものである。
　また、上記訂正は、願書に添付した明細書又は図面に記載した事項の範囲内の訂正であり、実質上特許請求の範囲を拡張し又は変更するものでもない。
　
2-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３．特許異議の申し立てについての判断
3-1．本件請求項１に係る発明
　上記「２．訂正の適否についての判断」で示したように上記訂正が認められるから、本件請求項１に係る発明（以下「本件発明」という。）は、上記訂正請求書に添付した訂正明細書の特許請求の範囲の請求項１に記載されたとおりのものである（上記「2-1．訂正の内容」参照。）。
　
3-2．取消理由で引用された刊行物に記載された発明
　当審で、訂正後の請求項１（訂正前の請求項８）に対して通知した取消理由で引用された刊行物１（甲第１号証）、刊行物５（甲第５号証）及び刊行物９（甲第９号証）には、それぞれ以下の事項が記載されている。
　
　刊行物１：特開昭６３−５１１９３号公報（甲第１号証）
　（１−ａ）「コレステリック液晶性高分子よりなり、かつコレステリック液晶構造が固定化されたフィルムを表面の少なくとも一部に有するカード。」（特許請求の範囲）
　（１−ｂ）「本発明は磁気カード、光カード、ＩＣカードなどの各種カードの偽造を容易に判定でき、かつ偽造防止に有効なカードを提供するものである。」（１頁左下欄９〜１１行）
　（１−ｃ）「本発明における偽造防止手段について具体的にのべる。
１）可視領域に反射波長のある高分子を選び、黄〜赤のコレステリックカラーを示すようにコレステリック構造を固定化したフィルムを用いて、λ＝ｎｐsinθのθの変化に応じて（視角変化に応じて）低波長側の色が見える性質を利用する。
２）特定の反射波長λを有するフィルムを作製し、白色光を照射して波長λの反射光を検出してその有無により真偽を判定する。あるいは白色光の代りに波長λの光（たとえばＨｅ−Ｎｏレーザーの０．６３μｍの光、半導体レーザーの０．８４μｍの光）を照射してその反射光の有無あるいは強弱により真偽を判定する。この時、赤外領域に反射スペクトルを有する透明フィルムを用いると、外見は通常の透明フィルムと変わらないが、半導体レーザーなどの光を照射することにより、明確な反射を示すので、容易に真偽を判定できる。
３）特定の反射波長の検出のほかに、円偏光フィルターなどを用いて右円偏光又は左円偏光の検出を行なえばさらに容易に真偽を判定できる。
４）異なる反射波長λ１，λ２・・・を有する２枚以上のコレステリックフィルムを貼り合わせてそれに白色光を照射し、複数の反射ピークを有する反射スペクトルを検出する。
５）コレステリック液晶を形成すると紫外領域あるいは赤外領域に反射スペクトルを示す高分子を用いてまずキャスティングなどで液晶構造を有しない透明フィルムをつくり、次に文字、像などの所望するパターンの部分のみを加熱してコレステリック液晶を成長させついで急冷固定化することによって、外観上は透明であるが、反射光（紫外光あるいは赤外光）を検出することによってのみ文字、像などが読み取れるフィルムをつくる。その隠れたパターンの検出で真偽を判定する。」（４頁右下欄２行〜３頁左上欄下から２行）
　（１−ｄ）「＜発明の効果＞
　本発明のカードはコレステリック液晶の有するコレステリックカラーの視角依存性、波長選択反射性、円偏光選択性を利用するため真偽が困難で、かつ真偽の判定がきわめて容易であり、偽造防止効果に優れている。更に真偽の判定も目視判別のみで行うこともでき、あるいは簡単な光学系を用いるのみで行えるため、システムの大幅な改良を必要としない。」（７頁右上欄６〜１４行）
　
　刊行物５：特開昭６１−２９７１９２号公報（甲第５号証）
「（１）基材に磁気記録層を付加し、表面に必要事項を目視可能に記載した有価証券において、赤外線反射層およびその上に赤外線吸収層を有することを特徴とする有価証券。
　　　　　　　　　　　　　−中略−
　（８）赤外線吸収層より外部に、隠蔽層、印刷層および保護層の１種または２種以上を、２種以上の場合はこの順で設けた特許請求の範囲第１項ないし第７項のいずれかの有価証券。」（特許請求の範囲）
「第１図に示した態様では、基材１の一方の側に、内部から外部に向って、磁気記録層２、赤外線反射層３および赤外線吸収層４をこの順で積層してなる。
　　　　　　　　　　　　　−中略−
　本発明の有価証券は、好ましくは第１図ないし第６図に示すように、赤外線吸収層４より外部に、隠蔽層５、印刷層６および保護層７の１種または２種以上を、２種以上の場合はこの順で設ける。」（第２頁左下欄１０行〜右下欄下から４行）
「赤外線吸収層は、赤外線反射層に用いるものと同様のバインダー中に赤外線の吸収率の高いキノシアニン類およびチアシアニン類などを分散させたものを、塗布または印刷して所望の位置に形成する。
　隠蔽層は、上記と同様のバインダーを用い、赤外線は透過させるが可視光は透過させない各種の顔料を添加して同様に塗料またはインキとし、塗布または印刷して形成する。
　印刷層は、既知のインキおよび印刷法により、所望の図柄を印刷して設ける。隠蔽層と同様に、可視光は反射または吸収し、赤外線は透過させるインキを用いることが好ましい。
　保護層は、合成樹脂フィルムのラミネーション、エクストルージョンコーティング、あるいは合成樹脂塗料の塗布などによって形成できる。」（３頁右下欄４〜１９行）
「【作用】
　本発明の有価証券に赤外線を照射すると、赤外線吸収層４が存在する部分はほとんど赤外線を反射せず、一方、存在しない部分はその内部に赤外線反射層３を設けてあるので、赤外線を高率で反射する。この反射率の違いから、文字、パターンを読みとり、真偽の判別をする。反射率の差異は大きいから、読み誤りは実質上ゼロである。
　赤外線吸収層４上に赤外線を透過する隠蔽層５を設けた好ましい態様においては、赤外線吸収層４を設けていることすら察知されないので、目視により文字、パターンを判別することができない。その上に地紋、絵柄、文字などの印刷層６を設ければ、より一層効果を高める。」（４頁左上欄７〜末行）
　
　これらの記載及び図面の記載からみて、刊行物５には、以下の発明が記載されていると認められる。
「赤外線は透過させる、地紋、絵柄、文字などの印刷層６、及び保護層７の下に赤外線を透過する隠蔽層５を有し、さらにその下に赤外線吸収層４を有する有価証券。」（以下「刊行物５記載の発明」という。）
　
　刊行物９：特開昭６４−８７３９５号公報（甲第９号証）
「プリペイドカードの一部を構成するカード基体１の表面に磁気記録層２を設け、またこの磁気記録層２上には、・・・赤外線反射層３を設けている。・・・この赤外線反射層３の上には、赤外線を透過しかつ赤外線反射層３を不可視とする隠蔽層４を設けている。さらにまた、この隠蔽層４の上には透明な保護層５を設けている。
　・・・隠蔽層４は、赤外線は透過させるが可視光は透過させない、・・・
　以上のように構成したプリペイドカードにおいては、磁気層２が赤外線吸収層を兼ね、この赤外線吸収層および赤外線反射層３は、その存在が容易に察知されないことから、偽造、改ざんされる恐れが少ない。また、カードに赤外線を照射すると、赤外線反射層３の存在部分は赤外線を反射し、一方欠如部分は赤外線をそのまま通過し、その内部に赤外線吸収層を兼ねた磁気層２を設けていることから、この赤外線をほとんど吸収する。すなわち、磁気記録層２は・・・磁性体から形成しており、特に、バリウムフェライトで形成した場合にはその色がほとんど黒色となるため、磁気記録層２は赤外線吸収層としても作用することになる。従って、赤外線反射層３の存在部分と欠如部分とにおける赤外線の反射率の大きな違いから、パターンを読取ってカードの真偽の判別を行なうことが可能である。具体的方法としては、赤外線センサにて記録部を走査し、そのパターンに応じた出力信号を得、この出力信号が所定のものか否かを確認することで真偽を判別したり、あるいはＩＲスコープを用いて目視でこのパターンを見ることにより、真偽を判別することが可能である。さらに、赤外線吸収層を兼ねた磁気層２および赤外線反射層３は、隠蔽層４により不可視となっていることから、その存在の察知をより一層困難とすることが可能である。一方、磁気層２が赤外線吸収層を兼ねていることから、赤外線吸収層を別個に設けることなく赤外線の吸収が行なえる。」（２頁左下欄６行〜３頁左下欄９行）
　
　これらの記載及び図面の記載からみて、刊行物９には、以下の発明が記載されていると認められる。
「透明な保護層５の下に赤外線を透過する隠蔽層４を有し、さらにその下に赤外線吸収層を兼ねる磁気記録層２を有するプリペイドカード。」（以下「刊行物９記載の発明」という。）
　　
3-3．対比・判断
　3-3-1．一致点・相違点の認定
　本件発明と刊行物５記載の発明とを対比すると、
　刊行物５記載の発明の「赤外線を透過する隠蔽層５」、「赤外線吸収層４」、「有価証券」は、それぞれ、本件発明の「可視スペクトル領域では不透明なＩＲ−透明インクの層」、「ＩＲ−吸収インクによる記号」、「データ担体」に相当し、
　本件発明の「セキュリティ素子」は、「液晶材料を含み光学的に変化する」ものであるから「表示体」といえるものであり、刊行物５記載の発明の「地紋、絵柄、文字などの印刷層６、及び保護層７」も、「表示体」といえるものであるから、
　両者の一致点・相違点は、次のとおりである。
　　一致点：「ＩＲ透過性を有している表示体の下に可視スペクトル領域では不透明なＩＲ−透明インクの層を有し、さらにその下にＩＲ−吸収インクによる記号を有するデータ担体。」
　　相違点：本件発明では、表示体が、「液晶材料を含み光学的に変化するセキュリティ素子」であり、「前記材料が、配向した形で、室温において固体として存在する液晶重合体であり、赤外領域で読み取れる特徴が前記液晶材料の下に配されているデータ担体において、前記液晶重合体がＩＲ透過性を有し」ているのに対して、刊行物５記載の発明では、そうではない点。
　3-3-2．相違点の判断
　上記刊行物１には、「コレステリック液晶性高分子よりなり、かつコレステリック液晶構造が固定化されたフィルムを表面の少なくとも一部に有するカード。」（（１−ａ）参照。）の発明（以下「刊行物１記載の発明」という。）が記載され、上記の「コレステリック液晶性高分子よりなるフィルム」は、偽造防止手段に用いられる（（１−ｃ）参照。）から、本件発明の「液晶材料を含み光学的に変化するセキュリティ素子」に相当し、また、「コレステリック液晶構造が固定化された」ものであるから、「材料が、配向した形で、室温において固体として存在する液晶重合体」である。そうすると、上記相違点のうち、表示体が、「液晶材料を含み光学的に変化するセキュリティ素子」であり、「前記材料が、配向した形で、室温において固体として存在する液晶重合体である」点は、上記刊行物１に記載されていると認められる。
　しかしながら、上記刊行物１に記載の「フィルム」（液晶重合体）は、ＩＲ透過性を有しているかどうか不明であり、刊行物１記載の発明は、「フィルム」（液晶重合体）のみにより偽造を防止するものであるから、上記刊行物１には、上記相違点のうち、その余の「赤外領域で読み取れる特徴が液晶材料の下に配されているデータ担体において、液晶重合体がＩＲ透過性を有し」ている点は、記載されておらず、示唆する記載もない。
　また、上記刊行物９、及び、当審の審尋に対して異議申立人が平成１６年１月７日に提出した回答書に添付した参考資料３（特開昭６４−８７３９６号公報）に記載された発明も、上記刊行物５記載の発明と同じ本件発明との相違点があり、同参考資料１（特開昭６１−１２８２０３号公報）及び参考資料２（特開昭６２−１３６６０２号公報）を参酌しても、刊行物１記載の発明における「フィルム」（液晶重合体）がＩＲ透過性を有しているとはいえない。
　3-3-3．まとめ
　したがって、本件発明は、上記刊行物１、５、９に記載された発明に基いて、当業者が容易に発明をすることができたものということはできない。
　
3-4．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令２０５号）第４条第２項の規定により、結論のとおり決定する。
【異議決定日】
平成１６年２月４日（２００４．２．４）
【訂正の要旨】
審決（決定）の【理由】欄参照。
（５４）【発明の名称】
セキュリティ素子を有するデータ担体
（５７）【特許請求の範囲】
　【請求項１】　液晶材料を含み光学的に変化するセキュリティ素子を有するデータ担体であって、前記材料が、配向した形で、室温において固体として存在する液晶重合体であり、赤外領域で読み取れる特徴が前記液晶材料の下に配されているデータ担体において、前記液晶重合体がＩＲ透過性を有し、前記セキュリティ素子の下に可視スペクトル領域では不透明なＩＲー透明インクの層を有し、さらにその下にＩＲ−吸収性インクによる記号を有することを特徴とするデータ担体。
　【請求項２】　液晶重合体を含んだデータ担体の試験装置であって、
　少なくとも一つの予め決めた角度からセキュリティ素子を照明する光源と、
　前記光源の光路上に配された、少なくとも一つの色フィルターと、
　前記光路上に配された偏光−光学構成要素と、
　前記光路上に配された、反射光を異なる偏光の部分光線に分割するように構成された光線分割器と、
　前記光線分割器から出力される光の光路上に配された、前記部分光線の強度を測定するように構成された偏光光学構成要素および検出器とを備えていることを特徴とする装置。
【発明の詳細な説明】
　【産業上の利用分野】
　本発明は、液晶材料を含み、光学的に変化するセキュリティ素子（贋造防止要素）を有する、データ担体、特に有価証券、書類、身分証明書、等に関する。
　【従来の技術】
　カラー複写機の技術的な進歩により、色、解像度および品質の点で複写を原画から見分けるのが益々困難になっている。データ担体をカラー複写機またはスキャナーにより贋造されるのを防ぐために、セキュリティ素子として光学的に変化する素子が益々多用されるようになっている。その様な素子は、一般に、照明や見る条件により、異なった色または輝度を示す。最も一般的な、光学的に変化する素子としては、回折格子、ホログラム、干渉被覆、メタメリックインクおよび偏光被覆がある。ホログラムおよび格子は、回折効果に基づいている。干渉被覆は、通常、幾つかの重なりあった層からなり、その層厚は光の波長域にある。
　メタメリックインクは、通常、反射率帯の異なった顔料の混合物からなる。この組成により、メタメリックインクは、照明の種類が変化した時にそれらの目に見える色の効果が変化する。
　二色染料は、偏光方向により、異なった波長域で白色光を吸収し、その結果、偏光に応じた色の効果を生じる。
　【発明が解決しようとする課題】
　公知の光学的に変化するセキュリティ手段には、製作経費が非常に高いこと、通常の製造方法を使用して処理できないこと、あるいは他のセキュリティ手段またはカード材料との相容性が十分ではないこと、などの欠点がある。
　本発明の目的は、見る角度により異なった効果を発揮し、安価に、従来の方法を使用して製造でき、他の特徴と相容性がある、すなわち組み合わせることができる、複製防止効果がある特徴を提案することにある。
　【課題を解決するための手段】
　この目的は、主請求項の特徴を表す部分に記載された特徴により達成される。他の特徴は他の独立および従属請求項に記載されている。
　本発明は、セキュリティ素子として液晶重合体を使用する。目的に適った適切な製造を行った後、これらの重合体は、室温で顕著な光のきらめきを示すプラスチック状の固体を構成する。好ましい製造方法としては、例えば、液状のままの材料を基材の上に塗布し、続いてＵＶ照射によりこれを硬化させる方法がある。好ましい液晶重合体としては、とくに液晶シリコーン重合体およびコレステリックオルガノポリシロキサンが挙げられる。それらの化学構造および製造方法は公開ヨーロッパ特許出願ＥＰ−Ａ　０１３６５０１，ＥＰ−Ａ　００６０３３５およびヨーロッパ特許第００６６１３７号に記載されている。これら特許の記載内容をここに参照文献として含める。
　セキュリティ素子すなわち贋造を防止するための付属要素として、通常の液晶を使用することはすでに公知であり、例えば、オーストラリア特許第４８８６５２号で提案されている。この特許は、セキュリティ素子を液晶材料の形で埋め込んだ中間層を備えた銀行券を記載している。この液晶材料は、印刷技術により充填物に付けてある。液晶は凝集の液体状態にあり、側面をすべて閉じたマイクロカプセル中に埋め込んであり、インク中に混合してある。セキュリティ性の試験は、温度変化によるセキュリティ素子の色の変化を見て行われる。
　液晶は、構造的な異方性にも関わらず、通常は液体のような挙動を示し、これが、この材料をカプセルまたはキャビティ中に収容しなければならない理由であり、製造技術を複雑にしている。液晶材料を収容するのは複雑なだけではなく、キャビティやカプセルを壊す危険性があるために、提案されたセキュリティ素子を、通常の方法で圧力および熱の作用（古典的なラミネート技術）により、フィルムや識別書類中に埋め込むことも不可能である。また、カプセルやキャビティに収容した液晶は、鋼製凹版印刷による銀行券や有価証券上のセキュリティにも適していない。というのは、この製造方法で必要とする高い圧応力によりカプセルやキャビティが破壊されるためである。
　しかし、適切な処理を行えば、液晶は固体の形で存在することもでき、処理方法に応じてその分子の高度の配向を示し、その光学的に変化する特性を最大限に、最高輝度で発揮する。本発明の液晶系では、反射光の色純度は１００ｎｍの領域をほとんど超えることはなく、見る角度を変えることによって生じる変色効果が非常に顕著であり、反射および透過光は著しい円偏光を有する。これらの特性を十分に発揮した光学的に変化する特性により、その様な液晶重合体は、データ担体、有価証券および身分証明書上のセキュリティ素子として使用するのに特に適している。色のきらめきは一般の人にも容易に観察できる。波長選択的反射性および偏光効果により、この材料は自動試験に非常に適している。その光学的効果の多様性および著しい特性のために、模造品の製作は困難である。事実上すべての実施形態において、この液晶素子は、機械により読み取れる真贋識別性特徴として、および他の機械的特徴と共に使用することができる。この液晶重合体はＩＲ透過性を有するために、他の機械特徴を液晶重合体の下に配置することもできよう。
　液晶重合体が固体であるために、そこからセキュリティ素子を製作するのは著しく容易になる。第一に、液晶を中空の物体に収容する必要がない。第二に、その後の処理工程およびそのデータ担体の使用期間中、破裂および液晶洩れの危険性がない。これによって、製造工程および使用が著しく簡単になる。
　液晶重合体のプラスチック状特性により、半製品または完成品への処理が簡単になる。出発材料は一般に粒状材料であり、プラスチック製造で公知の方法および機械により成形および処理できる。これによって、セキュリティ技術の分野で、液晶重合体を原料として全く異なった種類のセキュリティ素子を製作し、異なった用途に併用することができる。
　したがって、耐引き裂き性のプラスチックでできた担体ウェブを液晶重合体で被覆することができる。得られた材料のウェブは、細いウェブまたは細線に裁断し、それを紙または他の材料中にセキュリティ細線として埋め込むことができる。
　あるいは、液晶重合体からなる埋め込み層を含むフィルムの多層ウェブを製造することもできる。
　最後に、液晶重合体は、自己支持型フィルムとして製造することもできる。これらのフィルムは、例えば、多層身分証明書用のフィルム層として使用できる。
　本発明の他の長所および特徴は、独立および従属請求項、および下記の実施例および図面に示す。
　【実施例】
　図面および実施例で説明する液晶重合体の応用および効果を理解し易くするために、この物質の重要な特性の幾つかを先に説明する。
　液晶重合体とは、光学的特性が特に顕著に現れるように、液晶状態を重合体マトリックス中に「凍結」させてある、液晶の特殊な変形である。したがって、液晶重合体は通常は光を吸収せず、その色は、個々の結晶面上で光が多重干渉することによって生じる。それにしたがって、入射光および透過光中の色効果も異なっている。反射された色スペクトルは、中央波長の回りのせまい周波数領域だけを含み、したがって高い色の彩度を示す。透過したスペクトルは反射スペクトルに対して補色関係にあり、中央波長近くで下降している。
　液晶重合体を不透明基材上に使用する場合、液晶層を黒色の背景に施すと、すべての観察角度に対して特に高度の色純度がえられる。反射スペクトルは、背景上の二次反射により妨害されることはない。
　本発明の配向液晶重合体の格子定数は、垂直に入射した時の反射した中央波長が近赤外または可視領域にある様に、３００ｎｍ〜１，０００ｎｍの範囲になるように、合成時に設定することができる。観察角度が平らになるにつれて、反射帯の中央波長はより短い波長の方向に移動する。例えば、直角に反射した波長は、６０°で反射した場合よりも約２０％大きい。
　図１は、液晶層のスペクトル反射Ｒを、垂直入射照明を曲線１で、６０°の照明角度を曲線２で示す。特殊な液晶重合体では、発色効果はそれにしたがって、緑色から紫色に、黄色から青色に、明赤色から緑色に、あるいはＩＲ反射帯では黒色から赤色に変化し得る。液晶重合体の格子定数およびしたがって基本色は、その液晶の正確な化学構造によって異なり、合成条件により、３００〜１，０００ｎｍの範囲内に決定することができる。
　図２は、窓セキュリティ細線用の液晶重合体用途を示す。セキュリティ印刷１２を備えた銀行券１１において、セキュリティ細線１３を、製紙工程で、紙の表面上の窓１４と一列に配置し、視覚的に認められるように埋め込む。実施形態に応じて、その様なセキュリティ細線の幅は０．５〜数ミリメートルの間である。
　光学的に変化する効果により銀行券を複写防止するには、セキュリティ細線を、それが液晶重合体からなる一つ以上の層を含むように設計する。セキュリティ細線製造の変形を図３〜図９に示す。
　図３は、セキュリティ細線１３ａの第一の変形を示す。このセキュリティ細線はプラスチック製の担体２０を含むが、これには一般的に厚さが２０〜１００ミクロンのポリエステルフィルムを使用するのが好ましい。担体２０の片側を数ミクロン厚の液晶重合体からなる層２１で被覆する。液晶の色のきらめきを光学的に引き出すには、フィルム２０は好ましくは黒に着色する。細線は、製紙工程で、液晶層が目に見える外側表面上に来る様に方向を合わせる。
　図４は、対称的な層構造を備えたセキュリティ細線１３ｂの他の変形の断面を示す。対称的に構築したセキュリティ細線には、紙に埋め込む際に細線の配向に注意する必要がないという利点がある。細線１３ｂは、それぞれ片側を液晶重合体の層２１で被覆した２枚の担体フィルム２０からなる。担体フィルム２０は、張り合わせ剤２２で接続し、外側に液晶層を有する対称層構造を与えている。色の豊かさを増すために、所望により担体ウェブ２０および／または張り合わせ剤２２を透明または顔料インクで着色することができる。製造技術上の簡単な解決策は、好ましくは不透明な黒を使用して、張り合わせ剤だけを着色することである。
　図５は、対称的に構築したセキュリティ細線１３ｃの別の変形を断面で示す。図３と対照的に、ここでは担体フィルム２０が細線１３ｃの外側に配置され、それによって内側の液晶層２１を損傷から保護している。この変形では、好ましくは張り合わせ剤だけを染料で着色する。外側の担体層２０は、透明のままでなければならないので、弱く着色するか、または全く着色しない。
　図６および７は、セキュリティ細線１３ｄの他の変形を、断面（図６）および上から見た状態（図７）で示す。図５と同様に、細線１３ｄは２つの担体フィルム２０、２つの液晶層２１および接着層２２からなる対称層構造を有する。製造に際しては、この細線は、２つの被覆したフィルム３０，３１の対を接続する。接続する前に、フィルム対の一つの表面３３に、黒色インクの図形３４を施し、文字数字式記号を通常の印刷方法で液晶重合体層の表面にマイクロライティングで施す。さらに透明な張り合わせ剤２２を使用する。透過光では、紙の窓の区域で、重合体層の光学的に変化する着色背景の前で、これらの文字が黒色に見える。しかし、入射光では、微小文字だけが色の変化を示す。
　図６および７のセキュリティ細線のもう一つの変形では、文字３４を緑色のマイクロプリントで液晶層の一つに付け、張り合わせ剤２２は黒に着色する。同時に、特定の観察角度、例えば黒色の背景に対して直角で緑色に見えるように液晶材料を選択する。このセキュリティ細線をこの角度で見ると、表面全体が緑色に見える。観察角度を変えると、液晶重合体層の色が変化し、印刷した所では緑色がそのまま支配的である。その結果、細線を傾けた場合にのみ文字が見えるセキュリティ細線が得られる。
　図８および９は、別の変形１３ｅを、断面（図８）および上から見た状態（図９）で示す。このセキュリティ細線は、担体フィルム２０および液晶重合体の層２１からなる。重合体層には通常の印刷方法で、異なった色の、斜めの縞４０の図形が印刷されている。図に示す実施例では、図形４０のために選択した特殊な色の順序は、赤４１、黄４２、緑４３、青４４であり、この図形は細線の全長に渡って反復されている。このセキュリティ細線１３ｅを見ると、着色表面区域４０は、液晶層を通してそれぞれ異なった色で見える。個々の区域の色スペクトルは、印刷した染料の反射帯からなる。その上、液晶層の色は追加的に混合される。液晶重合体の角度に依存する反射特性により、図に示す配置の着色縞は、液晶重合体の色を適当に統一すれば、その細線を傾けた時に、その細線に沿って移動する、着色縞の幻影を造り出すことができる。この変形は、図５と同様に、対称的な層構造を有するセキュリティ細線に拡張することができる。
　図３〜９に示す変形は、望ましい外観に応じて、多種多様に変化させることができる。液晶重合体の光学的に変化する効果は、透明な染料または着色染料を使用して望ましい層を着色することにより、「古典的な」インクと組み合わせることができる。染料自体は、セキュリティ細線のどの層（液晶層を含めて、ただしその場合は低濃度でのみ）にも導入できる、および／または印刷図形として細線のどの層にも付けることができる。
　図の説明で述べた着色方法は、提案を目的としているだけであり、上記の色は他のどの様な染料で置き換えてもよい。これらの組み合わせの可能性により、膨大な数の可能な色の変化、色の幻影および動的な効果が得られる。
　図３〜９に示すセキュリティ細線の変形は、すべて一つの半製品から製造することができる。その半製品は、ポリエステル樹脂の様な担体材料からなるフィルム２０のウェブを液晶重合体の層２１で被覆することによって製造される。セキュリティ細線色デザインに応じて、印刷した、透明な、あるいは着色した担体フィルムを使用する。フィルムのウェブの厚さは、好ましくは１ミリメートルの１０分の１未満の範囲であり、液晶被覆には、約１０ミクロンのフィルム厚で通常は十分である。製造上の理由から、半製品の代表的なウェブ幅は１メートルの範囲である。
　印刷したセキュリティ細線は、公知の印刷機械で適当な製造方法により、担体ウェブおよび／または液晶層上に望ましい図形または文字を印刷することにより製造する。多層の、特に対称構造を有するセキュリティ細線は、被覆し、場合により印刷したフィルムウェブを重ね合わせ、張り合わせ剤で接続して製作する。
　ウェブが望ましい層構造になったら、そのウェブを公知の裁断装置で細線に裁断する。最終的な細線幅は、望ましい用途に応じて０．５〜５．０ｍｍの範囲である。得られた細線は、特に紙の中に埋め込むのに適しているが、身分証明書のプラスチック層の間に埋め込むこともできる。別の種類のセキュリティ素子は、クレジットカード、身分証明書、銀行券、有価証券、等に適用し、それらを贋造および特に多量に複写されることから保護するのに使用することが多い、転写エレメントである。これらの目的に、液晶重合体からなるセキュリティ素子を、その光学的に変化する特性により使用することができる。転写エレメントは、転写方法により、担体の帯からセキュリティすべき物体の表面上に転写する。
　図１０および１１は、記号的に表したデータ記録４９および転写セキュリティ素子５１を備えた身分証明書５０を正面図および断面図で示す。セキュリティ素子５１は液晶重合体の層を含み、これらの材料特有の色のきらめきを有する。
　転写エレメントは、通常幾つかの層からなる。図１１は、線Ｉ−Ｉに沿って見た、身分証明書の断面を示す。この図では、このエレメントの高さをかなり誇張しているが、通常は１ミクロンの１０分の幾つかである。基材５３は、順に接着層５４、保護ラッカー５５、液晶層５６および保護ラッカー５７の最終外層を備えている。ここに非常に簡単な実施形態で示すセキュリティ素子は、多くの異なった様式に変えることができる。
　液晶素子の色デザインに対する可能性は、セキュリティ細線に対する可能性と同等である。明らかに（視覚的に）認識できる色のきらめきを必要とする場合、背景を黒色に着色するのが好ましい。色を反射スペクトルに混合するには、図１０に示すように、印刷した背景に素子５１を施す。印刷図形は多様に変化させることができ、簡単なデザインなら単色の背景であるが、明色の斜め縞、互いに入り組んだ着色円、等の、コントラストを付けた文字数字式記号または図形を備えた多色印刷背景は目覚ましい光学的な効果を有する。背景６０が黒と白または着色した写真、署名、等を含む場合、特に面白い効果が得られる。
　背景の印刷に対する類似の色効果は、転写の際に変化しない、転写エレメントの、好適な光学的効果を有する層の上に着色、印刷または書き込むことにより得ることができる。
　以下に説明するように、転写の原理により、どの様な望ましい外側輪郭でも光学素子に与えることができる。したがって、図１０および１１に示す紋章形の被覆は、縞、印章、会社のロゴ、文字数字式記号、数字、編み縄模様、等を代表しているのである。輪郭６１の形状は、光学的に変化する素子に個々の性格を与える。
　図１２および１３は、カードデータを液晶素子により目立たないように偽装し、変造防止する用途の正面図および断面図である。容易に目に見える色のきらめきを備えた液晶重合体は、通常、赤外では透明であり、したがって赤外領域で読み取れる記号と容易に組み合わせることができる。最初の印刷工程で、この目的のために記号７２をカード７０の表面にＩＲ−吸収性インク７１で印刷する。次の工程で、このＩＲ記号７２の上に、可視スペクトル領域では不透明なＩＲ−透明インク７３で印刷する。最後の工程で、液晶セキュリティ素子７４をこの区域で不透明なインク７３の上に被覆する。
　製造上の理由から、液晶重合体からなるセキュリティ素子を基材表面に設ける転写方式の方が好ましいこともある。その場合、最初の工程で転写帯を製造し、第二の工程でセキュリティ素子を転写帯から外し、基材に接続する。
　図１４は、液晶層を備えたセキュリティ素子を基材表面に付けるのに適した、転写帯１００の構造を断面で示す。担体フィルム１０１は、順にワックス層１０２、保護ラッカーの層１０３、液晶重合体からなる層１０４、着色層１０５、および熱密封層１０６を備えている。担体フィルムは、厚さが１ミリメートルの１０分の１未満の、耐引き裂き性のポリエステル樹脂からなるのが好ましい。この転写帯の他の層は、通常厚さが数ミクロン〜１ミクロンの１０分の幾つかである。ワックス層の上にある層１０３〜１０６は、それに続くセキュリティ素子を形成する。色の効果を得るために、転写帯を、その製造の際に、各層で着色または印刷することができる。
　セキュリティ素子を基材に付けるには、熱密封層１０６を備えた転写帯１００を図１５に示すように基材１１１上に載せ、それを圧迫する。この圧迫は、加熱した転写ダイス１１２または転写ロールで行う。圧力と熱の作用により、熱密封層が基材に接着する。同時に、分離層１０２が融解し、担体材料１０１が剥離される。セキュリティ素子は、分離層が液体になった表面区域、すなわち転写ダイスにより加熱された表面区域においてのみ基材と接着する。他の表面区域では、層構造および担体材料は相互に堅く接続したままである。担体フィルムを基材から除去すると、層構造は転写ダイスの輪郭縁部１１３に沿って引き裂かれるので、転写されたセキュリティ素子の輪郭１１３は、常に圧縮ダイスの輪郭に相当する。この様にして、会社のロゴ、ブロック式字体、等の複雑な輪郭も実現することができる。熱密封の方法自体は公知であり、例えば独国特許出願公開第３３０８８３１号に記載されている。
　また、液晶重合体は、フィルムに成形することもできる。この形態は、特に多層身分証明書用の表面の大きな、あるいは全面セキュリティ素子として適している。図１６および１７は、例として、紙の中間層１２１および２つの外側熱可塑性カバーフィルム１２２および１２３からなるラミネート加工した身分証明書１２０を示す。これらの層を圧迫すると、圧力と熱の作用により緊密な身分証明書になる。カード情報は通常、中間層の上に印刷するが、図に示す例では、所有者の写真１２４、カードデータ１２５および会社のロゴ１２６を有する。贋造防止策は、液晶重合体製のフィルムをカードの左半分で、中間層と上側カバーフィルムとの間のカード構造の中に一体化することにより強化される。液晶フィルムの光のきらめきは、透明なカバーフィルムを通して観察され、その際、カラー印刷した会社記号１２６が色効果を追加する。
　ある種の液晶化合物は、高エネルギー（例えばＵＶ）照射の作用により架橋し、化学的に安定したフィルムを形成する。露光していない、すなわち硬化していない区域は溶剤で除去することができる。半導体および印刷版製作の公知の写真方法と同様の方法で、液晶フィルムの予め決めた表面をマスクを通して露光し、次いで露光していない区域の被覆を化学的に除去することによって図形、文字、数字、等を造り出すことができる。
　無論、カードの全面を液晶重合体フィルムで覆うこともできる。フィルムをカード構造の中に一体化する代わりに、ラミネート加工する前に、転写方法により液晶素子を中間層に転写する方が好ましい場合もあろう。別の変形方法は、通常の張り合わせカードの構造で、カバーフィルム１２２，１２３の一方、または両方の全体を液晶フィルムで置き換えることである。
　液晶材料製のフィルムは、大表面または全面セキュリティ素子として適している。その様なフィルムは、液晶材料から造るのが好ましい。セキュリティ目的に適したフィルムを得るには、液晶材料をローラーフレーム上で処理する。光学効果に必要な液晶分子の配向は、ロール加工の際に生じる剪断力により与えられる。その結果得られるフィルム材料は、身分証明書の製作に特に適しているが、セキュリティ細線の様な他の真贋識別マークにも使用できる。
　本発明の液晶重合体を原料とする真贋識別マークの自動試験には、それらの偏光特性および波長選択性が特に適している。反射光をまずスペクトル的に、中央波長のまわりの領域に絞り込み、偏光していない光を液晶重合体中で右および左成分に分解する。重合体の化学組成に応じて、その成分の一つだけが反射され、相補的な成分は透過する。
　自動試験の一つの方法を、以下に、黒色の完全吸収性の担体１２８上に配置した液晶重合体フィルムに関して説明する。図１８に示すように、素子１３０を予め決めた角度で、例えば白熱電球１２９の、偏光していない光線１３１で照明する。反射の後、光線１３２は、図１９に示す、スペクトル的なフィルター作用および円偏光を検出するのに使用する検出機構１３３に当たる。
　検出機構１３３の構造を図１９に示す。検出機構１３３内部で、反射光線１３２は、まず、期待する中央波長の光だけを通す着色フィルター１４１を通過する。次いで、この光線は、円偏光を直線偏光に転換する４分の１ラムダ板１４２に当たる。次いで光は１：１光線分割器１４３に当たり、そこから２つの部分光線１４４，１４５は偏光フィルター１５０，１５１を前に置いた２つの検出器１４６，１４７に達する。２つのフィルターの偏光面１５０，１５１は、互いに直角であるが、４分の１ラムダ板の２つの光学軸とは４５°で並んでいる。
　自動真贋識別試験は、２つの検出信号の解析により行う。検出機構の作動モードを以下に幾つかの場合に関して説明する。
イ）真贋識別素子
　反射光は、着色フィルターを妨害なしに通過する。４分の１ラムダ板内で、円偏光から、水平または垂直の直線偏光が造られる。この直線偏光により、検出器１４６，１４７の一方が十分な強度の光を受けるが、他方の検出器は光を受けない。
ロ）無偏光反射を伴う贋造素子
　スペクトル的には正しいが、無偏光反射光は、４分の１ラムダ板を通過した後も、優先偏光方向を持たない。各検出器は５０％の反射光を受ける。
ハ）スペクトル的に間違っている贋造素子
　反射光は着色フィルター１４２で吸収され、どちらの検出器も信号を受け取らない。
ニ）直線偏光を伴う贋造素子
　４分の１ラムダ板の４５°配置および２つの偏光器により、反射光の本来の偏光方向に関係なく、両検出器共同じ信号を受ける。
　誤差の重要度を増加するために、一つの素子を検出するための幾つかの検出機構を使用し、それらの機構を例えば異なった角度で配置し、それに応じて異なった中央波長で作動させることもできる。
　無論、専門家には、検出機構を多くの異なった様式で実現できることは明らかである。図２０は、取り扱いの簡単な装置として、光ファイバーを使用する機構を示す。この光学配置の基礎はやはり図１８である。この検出機構１３３では、反射光線１３２がまず着色フィルター１６１を通過し、中央波長を調べる。続く４分の１ラムダ板１６２で円偏光を直線偏光に転換する。入力接続光学機構１５３が光線１３２を導波管機構１５４に接続し、公知の光線分離器が光線を等しい部分光束に分離する。各部分光束の末端に、２つの異なった偏光方向のための偏光器−検出器対１５５／１５６および１５７／１５８がある。
　光が正しい波長および偏光を有していれば、２つの検出器１５６／１５８の一方が（無損失光学系の場合）入力強度の５０％を受け、他方は光を受け取らない。無偏光光線を反射する贋造素子の場合、各検出器は入力強度の５０％を受ける。この様にして、贋造品を本物から識別することができる。
【図面の簡単な説明】
　【図１】
　異なった観察角度から見た、液晶重合体のスペクトル透過率および反射特性を示すグラフ
　【図２】
　液晶重合体からなる一つ以上の層を有する窓セキュリティ細線を備えた銀行券の図
　【図３】
　液晶重合体からなる層を有するセキュリティ細線の断面図
　【図４】
　液晶重合体からなる外側層を有する、対称的に構築したセキュリティ細線の断面図
　【図５】
　液晶重合体からなる内側層を有する、対称的に構築したセキュリティ細線の断面図
　【図６】
　印刷した、対称的な窓セキュリティ細線の断面図
　【図７】
　印刷した、対称的な窓セキュリティ細線の上面図
　【図８】
　動的効果を有する印刷したセキュリティ細線の断面図
　【図９】
　動的効果を有する印刷したセキュリティ細線の上面図
　【図１０】
　液晶層を備えた転写エレメントを有する身分証明書の上面図
　【図１１】
　液晶層を備えた転写エレメントを有する身分証明書の断面図
　【図１２】
　セキュリティ素子で被覆した視覚的に読み取れない記号を有する身分証明書の上面図
　【図１３】
　セキュリティ素子で被覆した視覚的に読み取れない記号を有する身分証明書の断面図
　【図１４】
　転写帯の断面図
　【図１５】
　液晶セキュリティ素子を基材に転写している図
　【図１６】
　液晶重合体製の、内側にラミネート加工した層を有する身分証明書の上面図
　【図１７】
　液晶重合体製の、内側にラミネート加工した層を有する身分証明書の断面図
　【図１８】
　液晶セキュリティ素子用の試験機構を示す図
　【図１９，２０】
　液晶セキュリティ素子を検出するための検出器機構を示す図
　【符号の説明】
　１１　　銀行券
　１３　　セキュリティ細線
　２０　　担体フィルム
　２１　　液晶重合体の層
　２２　　張り合わせ剤
　３４、４０　　反射性インク
　５０、１２０　　身分証明書
　５１　　セキュリティ素子
　１２２、１２３　　カバーフイルム